(57)【要約】【課題】本発明は、溶接火花の養生装置に関し、溶接時のノロを確実に受け止めて損傷を防止し、作業現場の状況に合わせて耐火シートを展開させたり、上下移動させたりすることができて持ち運びにも容易な養生装置を提供することが課題である。【解決手段】火花受け部２が傘状に開閉する養生装置であって、前記火花受け部２は、火花受け部用の支持部３を中心にして棒状のリブ４が放射状に設けられて全体が凹状構造部５となってり、この凹状構造部５に耐火シート６が設けられてなり、前記火花受け部を支持する棒状本体部はその長さが摺接自在な複層構造により伸縮自在であって、前記棒状本体部３の一端部側に吊持用のフック部８が設けられ、前記火花受け部２の傘状展開角度θが角度調節手段により可変にされてなる溶接火花の養生装置１とするものである。【選択図】図１
2008229685.tif 000002
【特許請求の範囲】
【請求項１】
火花受け部が傘状に開閉する養生装置であって、
前記火花受け部は、火花受け部用の支持部を中心にして棒状のリブが放射状に設けられて全体が凹状構造部となってり、この凹状構造部に耐火シートが設けられてなり、
前記火花受け部を支持する棒状本体部はその長さが摺接自在な複層構造により伸縮自在であって、
前記棒状本体部の一端部側に吊持用のフック部が設けられ、
前記火花受け部の傘状展開角度θが角度調節手段により可変にされていること、
を特徴とする溶接火花の養生装置。
【請求項２】
吊持用のフック部は、Ｕ字形であり、そのＵ字部の半径Ｒを可変できるフレキシブル構造であること、
を特徴とする請求項１に記載の溶接火花の養生装置。
【請求項３】
リブは、伸縮自在な複層構造によりその長さが可変であり、耐火シートは、前記リブに取り外し可能な取着手段で取り付けられていて着脱可能であること、
を特徴とする請求項１又は２に記載の溶接火花の養生装置。
【請求項４】
耐火シートは、少なくとも２枚のガラス繊維織布とこの織布間にしわ状に挟み織布に接着された良熱伝導性の金属フィルムとを包含するものであること、
を特徴とする請求項１乃至３のいづれかに記載の溶接火花の養生装置。
【請求項５】
基台と、この基台に立設されたその長さを可変できる伸縮自在な支持部材と、該支持部材の先端部に設けられ火花受け部の傘状展開角度θに沿った形状にして放射状に棒状体を展開して形成された受け部とで構成されている装置用受け台があること、
を特徴とする請求項１乃至４のいずれかに記載の溶接火花の養生装置。
【請求項６】
火花受け部は、リブが外側で耐火シートが内側にして構成されていること、
を特徴とする請求項１乃至５のいずれかに記載の溶接火花の養生装置。
【発明の詳細な説明】
【技術分野】
【０００１】
本発明は、例えば、新築の建物や既存の建物における配管等の溶接作業を行う際に、溶接火花の周囲・下方への飛散による、通行人の被害発生や可燃物の火災等を防止するための溶接火花の養生装置に関するものである。
【背景技術】
【０００２】
従来、建築土木の工事現場では、溶接作業時の溶接火花が周囲に飛散して通行人などへの災害を防止するために、養生シートが建物周囲に張架されることが多い。また、溶接火花の周囲・下方への飛散を防止するために、耐熱シートを変形Ｓ字状縦桟と横桟と枠板部とでなる架台に緊結して、持ち運び可能な溶接火花養生架台が知られている（特許文献１参照）。
【特許文献１】特開平８−３３９８４号公報
【発明の開示】
【発明が解決しようとする課題】
【０００３】
しかし、従来の溶接火花養生架台では、火花の飛散に対して捕捉する範囲が、例えば、前方向等の所定方向に限定されていて、四方八方に飛散する溶接火花に対しては不十分である。また、持ち運びには容易であるものの、養生架台を引っ掛けるにはワイヤ等を作業現場で張架させる必要があって、手間がかかる等の課題がある。本発明に係る溶接火花の養生装置は、このような課題を解決するために提案されたものである。
【課題を解決するための手段】
【０００４】
本発明に係る溶接火花の養生装置の上記課題を解決して目的を達成するための要旨は、火花受け部が傘状に開閉する養生装置であって、前記火花受け部は、火花受け部用の支持部を中心にして棒状のリブが放射状に設けられて全体が凹状構造部となってり、この凹状構造部に耐火シートが設けられてなり、前記火花受け部を支持する棒状本体部はその長さが摺接自在な複層構造により伸縮自在であって、前記棒状本体部の一端部側に吊持用のフック部が設けられ、前記火花受け部の傘状展開角度θが角度調節手段により可変にされていることである。
【０００５】
前記吊持用のフック部は、Ｕ字形であり、そのＵ字部の半径Ｒを可変できるフレキシブル構造であること、；
前記リブは、伸縮自在な複層構造によりその長さが可変であり、耐火シートは、前記リブに取り外し可能な取着手段で取り付けられていて着脱可能であること、；
前記耐火シートは、少なくとも２枚のガラス繊維織布とこの織布間にしわ状に挟み織布に接着された良熱伝導性の金属フィルムとを包含するものであること、；
また、基台と、この基台に立設されたその長さを可変できる伸縮自在な支持部材と、該支持部材の先端部に設けられ火花受け部の傘状展開角度θに沿った形状にして放射状に棒状体を展開して形成された受け部とで構成されている装置用受け台があること、；
前記火花受け部は、リブが外側で耐火シートが内側にして構成されていること、；
を含むものである。
【発明の効果】
【０００６】
本発明の溶接火花の養生装置によれば、火花受け部が傘状に拡開するので、周囲に飛散する溶接火花（ノロとも言う、以下同じ）を確実に捕捉することができる。更に、この火花受け部を閉じて収納するので、持ち運びや保管が容易となる。また、吊持用のフック部で溶接現場の、例えば、配管等に引っ掛けて容易にこの養生装置を使用状態に設定することができる。伸縮自在な棒状本体により、作業場のスペースや建築資材等の状態に合わせて火花受け部を上下に移動させることができる。
前記火花受け部の傘状展開角度θを可変できるので、溶接火花の飛散状況に応じて展開させ、この火花を確実に捕捉できる。
【０００７】
前記吊持用のフック部が、フレキシブルな構造なので、引っ掛け対象の配管等の直径に合わせて、係止させることができる。これにより、作業現場で容易に養生装置をセットできるとともに、この養生装置の火花受け部が微風で不用意に振れたりすることもなく、火花の落下等を防いで、安全性が確保される。
前記リブの長さが伸縮自在で、且つ、耐火シートが着脱自在なので、傘状の火花受け部を大きくしたり小さくしたりして取り付けることができ、溶接作業スペースに合わせて傘形状に展開することができて作業能率が良くなる。
【０００８】
前記耐火シートは、少なくとも２枚のガラス繊維織布とこの織布間にしわ状に挟み織布に接着された良熱伝導性の金属フィルムとを包含するので、耐火性及び可撓性が良く、ノロによる焼損が少なく恒久的に使用できる。
更に、この養生装置に装置用受け台があるので、前記フック部を引っ掛けるのに都合の良い場所を見つけることができないときでも、火花受け部を傘状にして溶接部分の下に当該養生装置を配置させることができる。    
【０００９】
前記リブが外側で耐火シートが内側にして構成されているので、ノロが耐火シートに直接に付着して飛散が効果的に防止され、外側のリブが保護されることになると共に、この耐火シートに簡易に衝撃を与えることで、容易にノロを纏めて下部に集めることができるようになる。
【発明を実施するための最良の形態】
【００１０】
本発明に係る溶接火花の養生装置１は、図１に示すように、火花受け部２が傘状に開閉する養生装置であって、前記火花受け部２は、火花受け部用の支持部３を中心にして棒状のリブ４が放射状に設けられて全体が凹状構造部５となってり、この凹状構造部５に耐火シート６が設けられてなる。
【００１１】
前記火花受け部２を支持する棒状本体部３は、図２に示すように、金属製であって、その長さが摺接自在な複層構造にする伸長部材３ａにより伸縮自在であって、前記伸長部材３ａを伸縮させた後は、位置固定用ねじ７で固定するものである。
【００１２】
前記棒状本体部３の一端部側に吊持用のフック部８が設けられている。この吊持用のフック部８は、図３に示すように、Ｕ字形であり、そのＵ字部の半径Ｒを、引っ掛け部の形状に沿って、可変できるフレキシブル構造である。前記フック部８，８ａをフレキシブルにするために、その材料を軟質合成樹脂若しくは金属製螺旋巻パイプ等で形成するものである。
【００１３】
このほか、半径Ｒの異なるＵ字状フック部を予め複数種類用意しておいて、棒状本体部３へ適宜ねじ止めにより取り付けて、自由に交換できるようにしても良い。このようにすれば、溶接火花の養生装置１が、図２に示すように、配管１５等の引っ掛け部にフック部８が緩み無く繋着されて、少々の風が吹いても簡単には火花受け部２が揺れないものである。
【００１４】
更に、前記フック部８をマグネットベースとして、作業現場における金属製の引っ掛け部材に着磁させてフック部８を固定するようにしても良い。
【００１５】
前記火花受け部２は、図４に示すように、その傘状展開角度θが角度調節手段である、スライド筒９とレバー１０と位置固定ねじ１１とにより可変にされている。この火花受け部２の大きさは、一例として、直径１．２ｍ程度である。
【００１６】
また、火花受け部２の骨格を形成するリブ４も、図５に示すように、伸縮自在である。その構成は、リブ４ａに対してその内側にリブ４ｂがスライドし、任意の長さに伸ばした位置で位置固定ねじ１２により、固定するものである。このようにして、火花受け部２の傘の大きさを溶接現場に対応させて可変させ、飛散するノロ１７を確実に受けるようにして、作業能率を向上させるものである。
【００１７】
前記耐火シート６は、図６に示すように、前記リブ４に取り外し可能な取着手段、例えば、番線１３等で取り付けられていて着脱可能である。この耐火シート６は、本件出願人の発明に係る特公昭５５−１６８２９号に記載の耐火シートであり、少なくとも２枚のガラス繊維織布とこの織布間にしわ状に挟み織布に接着された良熱伝導性の金属フィルム、例えば、銅やアルミニウムのフィルムとを包含するものである。
【００１８】
すなわち、前記しわ状に収縮したアルミニウムフィルムと該フィルム面に接するオレフィン系接着材層と該接着材層上のガラス繊維織布の積層物を、約２７０℃付近の温度に加熱しながら加圧し、積層物を一体化してこの耐火シート６を形成するものである。
【００１９】
そして、図７に示すように、円形状の耐火シート６ａから、一部６ｂを切り取って、その切り取り部の端部を互いに繋いで、円錐形の耐火シート６とするものである。これを、火花受け部２における前記凹部状構造部５に載せて貼り付けるものである。
【００２０】
また、繰り返しの使用によって火花の着床が蓄積されて、当該シート全体が硬くなった場合には、前記番線１３を切ってこの耐火シート６の全体、若しくは一部を火花受け部２から取り外し、新しい耐火シート６の全体若しくは一部と交換するものである。
【００２１】
また、この養生装置１には、図１乃至図２に示すようなフック部８を引っ掛ける配管１５等の適当な係止部が作業現場に無い場合に備えて、図８に示すように、受け台１４が設けられている。
【００２２】
この受け台１４は、例えば円盤状の基台１４ａと、この基台１４ａに立設されその長さを上下に摺動自在にして任意の位置で固定ねじ１２で固定して可変できる伸縮自在な支持部材１４ｂと、該支持部材の先端部に設けられ火花受け部２の傘状展開角度θに沿った形状にして放射状に棒状体１４ｃを展開して任意の位置で調節ねじ１６で固定するように形成された受け部１４ｄとで構成されている。
【００２３】
この受け台１４を作業現場において、前記受け部１４ｄに、養生装置１の火花受け部２を載せることで、耐火シート６を傘状に展開して設置することができるものである。
【００２４】
なお、上記溶接火花の養生装置１における、支持部３，リブ４，棒状体１４ｃの伸縮構造は、図示した例は一例であって、このほか、出願前公知の伸縮機構、例えば外周部を縮径させて内側部材を締めつける構造やテーパ状の先細の内径により伸長された内側部材の外周部を締め付ける構造等、の他の公知の伸縮手段を採用することができるものである。
【００２５】
また、前記リブ４や棒状体１４ｃの角度調節についても、図示した例に限定されることなく、バネなどで締めつける調節ねじ等の公知の方法を採用できるものである。
【００２６】
更に、前記火花受け部２は、リブ４が外側で耐火シート６が内側にして構成されているものである。これにより、溶接作業時のノロ１７が耐火シート６上に先に着床することになり、金属製のリブ４が保護されて熱損することもない。なお、耐火シート６を外側にする場合もあり、これを排除するものではない。
【００２７】
本発明に係る溶接火花の養生装置１を使用すれば、溶接現場において、配管１５などに前記養生装置１のフック部８を引っ掛け、火花受け部２を開いて傘状にする。その際に、前記フック部８は、配管１５などの直径の大きさに合わせて、巻き付けるようにして引っ掛けられる。
【００２８】
また、傘状展開角度θをスライド筒９の上下移動と位置固定用ねじ７で調整する。なお、リブ４の長さは予め伸長させて、作業スペースに合わせておく。また、前記リブ４を最大限に伸長させておいて耐火シート６を貼着し、作業スペースに合わせて、縮めて使用するようにしても良い。
【００２９】
このように前記養生装置１のセッテングの準備が整ってから、溶接作業を始める。溶接時の火花が飛散しても、図１に示すように、傘状の火花受け部２によって確実に捕捉される。そして、捕捉された火花のカスは、当該火花受け部２をハンマーなどで軽く叩いて振動させることで、中央部に集まるので、容易に収集して廃棄することができる。このように、新設の建物における溶接火花の落下防止のみに限らず、作業スペースが限られる既設の建物においても、本発明に係る養生装置１を手軽に使用できる。
【図面の簡単な説明】
【００３０】
【図１】本発明に係る溶接火花の養生装置１の使用状態図である。
【図２】同本発明の溶接火花の養生装置１の上下方向に支持部３が伸縮できる様子を示す説明図である。
【図３】同吊持用のフック部８の可変状態を示す説明図である。
【図４】同養生装置１の角度調節手段（９，１０，１１）の構造を示す説明図である。
【図５】同養生装置１のリブ４の伸縮機構の一例を示す断面説明図である。
【図６】同凹状構造物５に耐火シート６を貼り付ける様子を示す一部拡大斜視図である。
【図７】円形状の耐火シート６ａから耐火シート６を形成する方法を示す説明図である。
【図８】同溶接火花の養生装置１の受け台１４の正面図（Ａ）と、平面図（Ｂ）とである。
【符号の説明】
【００３１】
１          溶接火花の養生装置、
２          火花受け部、
３          棒状本体部、                  ３ａ          伸長部材、
４          リブ、
４ａ，４ｂ  リブ、
５          凹状構造部、
６          耐火シート、
６ａ        円形状の耐火シート、          ６ｂ          一部耐火シート、
７          位置固定用ねじ、
８，８ａ    フック部、
９          スライド筒、
１０        レバー、
１１        位置固定ねじ、
１２        位置固定ねじ、
１３        番線、
１４        受け台、                      １４ａ        基台、
１４ｂ      支持部材、                    １４ｃ        棒状材、
１４ｄ      受け部、
１５        配管、
１６        調節ねじ、
１７        ノロ。
【図１】
2008229685.tif 000003
【図２】
2008229685.tif 000004
【図３】
2008229685.tif 000005
【図４】
2008229685.tif 000006
【図５】
2008229685.tif 000007
【図６】
2008229685.tif 000008
【図７】
2008229685.tif 000009
【図８】
2008229685.tif 000010